(57)【要約】【課題】送信された無線信号をより確実に受信できる吐水装置を提供する。【解決手段】湯水を吐水する吐水部と、前記吐水部からの湯水の吐水状態を切り替える操作部と、第１の送信アンテナと、第２の送信アンテナと、を有し、前記第１および第２の送信アンテナから無線信号を送信するヘッド部と、前記無線信号を受信する受信アンテナと、前記吐水部への湯水の供給を制御する電磁弁と、前記受信アンテナにより受信した前記無線信号に基づいて前記電磁弁の動作を制御する受信制御部と、を有する本体部と、前記本体部から前記ヘッド部に湯水を供給するホース部と、を備え、前記ヘッド部は、同じデータの前記無線信号を、前記第１の送信アンテナと、前記第２の送信アンテナと、を択一的に又は同時に使用して送信し、前記第１の送信アンテナと、前記第２の送信アンテナと、を所定間隔をもって配置することを特徴とする吐水装置が提供される。【選択図】図２
2010216073.tif 000002
【特許請求の範囲】
【請求項１】
湯水を吐水する吐水部と、前記吐水部からの湯水の吐水状態を切り替える操作部と、第１の送信アンテナと、第２の送信アンテナと、を有し、前記第１および第２の送信アンテナから無線信号を送信するヘッド部と、
前記無線信号を受信する受信アンテナと、前記吐水部への湯水の供給を制御する電磁弁と、前記受信アンテナにより受信した前記無線信号に基づいて前記電磁弁の動作を制御する受信制御部と、を有する本体部と、
前記本体部から前記ヘッド部に湯水を供給するホース部と、
を備え、
前記ヘッド部は、同じデータの前記無線信号を、前記第１の送信アンテナと、前記第２の送信アンテナと、を択一的に又は同時に使用して送信し、前記第１の送信アンテナと、前記第２の送信アンテナと、を所定間隔をもって配置することを特徴とする吐水装置。
【請求項２】
前記ヘッド部は、
使用者の手により把持される把持部と、
前記把持部の一方の端に設けられ、前記吐水部を有する吐水ヘッド部と、
前記把持部の他方の端に設けられたホース接続部と、
からなり、
前記ホース接続部には前記ホース部が接続されており、
前記第１の送信アンテナを前記吐水ヘッド部に設け、前記第２の送信アンテナを前記ホース接続部の近傍に設けたことを特徴とする請求項１記載の吐水装置。
【請求項３】
前記吐水ヘッド部は、前記ホース部から供給された湯水を一時的に貯留する貯留部を有し、
前記第１の送信アンテナは、前記貯留部からみて前記吐水部とは反対側に設けられたことを特徴とする請求項２記載の吐水装置。
【請求項４】
前記吐水ヘッド部は、前記第１の送信アンテナに電力を供給する電源供給部をさらに有し、
前記電源供給部は、前記第１の送信アンテナよりも前記吐水部側に設けられたことを特徴とする請求項３記載の吐水装置。
【発明の詳細な説明】
【技術分野】
【０００１】
本発明の態様は、一般的に、吐水装置に関し、具体的には無線信号を送受信することにより吐止水や流量などを制御する吐水装置に関する。
【背景技術】
【０００２】
例えば、シャワー装置やトイレ装置などでは、使用者の操作性を向上させるために、電磁弁などの開閉弁が設けられた本体とは別にリモコン装置を備えた装置がある。そこで、無線電波を受信して電源の供給を受け、この電源を利用してデータをアンテナから送信するようにした無線タグを利用した水栓具がある（特許文献１）。また、特許文献１に記載された水栓具では、無線タグを三個準備し、それぞれに操作を可能な状態にする動作用のもの、吐水用のもの、止水用のもののように機能を別けたリモコンタイプとすることも可能である。
【０００３】
しかしながら、特許文献１に記載された水栓具では、無線タグとリーダ装置との位置関係によっては、無線電波と反射電波とが干渉して互いに打ち消し合ったり、あるいは弱め合ったりすることで、使用者が操作した動作は、正常に行われないおそれがある。すなわち、浴室やトイレ室などの閉空間では、例えばアンテナから無線電波を送信すると、その無線電波が壁面等に反射することにより反射電波が生ずる。そして、無線電波と反射電波とが干渉して互いに打ち消し合ったり、あるいは弱め合ったりすることで、受信側は、送信側からの無線電波を認識できないおそれがある。
【０００４】
そこで、第１および第２のアンテナを備え、第１のアンテナで無線信号を出力した後、第２のアンテナから再度無線信号を出力するトイレ機器システムや浴室機器システムがある（特許文献２）。特許文献２に記載された機器システムによれば、第１のアンテナと第２のアンテナとから送信される無線信号のうち、少なくともいずれか一方のアンテナから送信した無線信号を、この無線信号を受信する電子機器に確実に受信させることができ、良好な無線通信を行うことができる。
【０００５】
しかしながら、例えば、シャワー装置のシャワーヘッドなどのように、手にもって使用するものにおいては、アンテナの配置が悪い場合には、アンテナを手で覆っていまい、良好な無線通信を行うことができないといった課題があった。
【先行技術文献】
【特許文献】
【０００６】
【特許文献１】特開２００５−１４６５５１号公報
【特許文献２】特開２００６−２２９３１７号公報
【発明の概要】
【発明が解決しようとする課題】
【０００７】
本発明の態様は、かかる課題の認識に基づいてなされたものであり、送信された無線信号をより確実に受信できる吐水装置を提供する。
【課題を解決するための手段】
【０００８】
本発明の一態様によれば、湯水を吐水する吐水部と、前記吐水部からの湯水の吐水状態を切り替える操作部と、第１の送信アンテナと、第２の送信アンテナと、を有し、前記第１および第２の送信アンテナから無線信号を送信するヘッド部と、前記無線信号を受信する受信アンテナと、前記吐水部への湯水の供給を制御する電磁弁と、前記受信アンテナにより受信した前記無線信号に基づいて前記電磁弁の動作を制御する受信制御部と、を有する本体部と、前記本体部から前記ヘッド部に湯水を供給するホース部と、を備え、前記ヘッド部は、同じデータの前記無線信号を、前記第１の送信アンテナと、前記第２の送信アンテナと、を択一的に又は同時に使用して送信し、前記第１の送信アンテナと、前記第２の送信アンテナと、を所定間隔をもって配置することを特徴とする吐水装置が提供される。
【発明の効果】
【０００９】
本発明の態様によれば、送信された無線信号をより確実に受信できる吐水装置が提供される。
【図面の簡単な説明】
【００１０】
【図１】本発明の実施の形態にかかる吐水装置を例示する斜視模式図である。
【図２】本実施形態にかかる吐水装置の主構成を例示するブロック図である。
【図３】本実施形態のヘッド部の主構成の変形例を例示するブロック図である。
【図４】本実施形態のヘッド部の具体例を表す斜視模式図である。
【図５】本実施形態の本体部の具体例を表す斜視模式図である。
【図６】第１および第２の送信アンテナの設置形態の具体例を例示する模式図である。
【図７】第１および第２の送信アンテナから送信される無線信号の放射方向を表す断面模式図である。
【発明を実施するための形態】
【００１１】
第１の発明は、湯水を吐水する吐水部と、前記吐水部からの湯水の吐水状態を切り替える操作部と、第１の送信アンテナと、第２の送信アンテナと、を有し、前記第１および第２の送信アンテナから無線信号を送信するヘッド部と、前記無線信号を受信する受信アンテナと、前記吐水部への湯水の供給を制御する電磁弁と、前記受信アンテナにより受信した前記無線信号に基づいて前記電磁弁の動作を制御する受信制御部と、を有する本体部と、前記本体部から前記ヘッド部に湯水を供給するホース部と、を備え、前記ヘッド部は、同じデータの前記無線信号を、前記第１の送信アンテナと、前記第２の送信アンテナと、を択一的に又は同時に使用して送信し、前記第１の送信アンテナと、前記第２の送信アンテナと、を所定間隔をもって配置することを特徴とする吐水装置である。
この吐水装置によれば、第１の送信アンテナと第２の送信アンテナは、所定間隔をもって配置されることとしたため、第１の送信アンテナと第２の送信アンテナのうち、受信アンテナの受信状態が良い方の送信アンテナを使用することにより、無線信号と反射信号との位相が逆位相となり、互いに打ち消し合ったり、あるいは弱め合ったりすることを防止することができる。そのため、本体部は、ヘッド部からの無線信号をより確実に認識できる。
【００１２】
また、第２の発明は、第１の発明において、前記ヘッド部は、使用者の手により把持される把持部と、前記把持部の一方の端に設けられ、前記吐水部を有する吐水ヘッド部と、前記把持部の他方の端に設けられたホース接続部と、からなり、前記ホース接続部には前記ホース部が接続されており、前記第１の送信アンテナを前記吐水ヘッド部に設け、前記第２の送信アンテナを前記ホース接続部の近傍に設けたことを特徴とする吐水装置である。
この吐水装置によれば、第１および第２の送信アンテナが使用者の手で覆われるおそれは少なく、第１および第２の送信アンテナから送信されたそれぞれの無線信号が使用者の手から影響を受けるおそれは少ない。また、ヘッド部の限られた空間を効率的に利用することができる。
【００１３】
また、第３の発明は、第２の発明において、前記吐水ヘッド部は、前記ホース部から供給された湯水を一時的に貯留する貯留部を有し、前記第１の送信アンテナは、前記貯留部からみて前記吐水部とは反対側に設けられたことを特徴とする吐水装置である。  
この吐水装置によれば、第１の送信アンテナから送信された無線信号が、湯水から影響を受けるおそれは少ない。
【００１４】
また、第４の発明は、第４の発明において、前記吐水ヘッド部は、前記第１の送信アンテナに電力を供給する電源供給部をさらに有し、前記電源供給部は、前記第１の送信アンテナよりも前記吐水部側に設けられたことを特徴とする吐水装置である。
この吐水装置によれば、第１の送信アンテナから送信されたそれぞれの無線信号が、電源供給部から影響を受けるおそれは少ない。また、ヘッド部の限られた空間を効率的に利用することができる。
【００１５】
以下、本発明の実施の形態について図面を参照しつつ説明する。なお、各図面中、同様の構成要素には同一の符号を付して詳細な説明は適宜省略する。  
図１は、本発明の実施の形態にかかる吐水装置を例示する斜視模式図である。  
また、図２は、本実施形態にかかる吐水装置の主構成を例示するブロック図である。  
また、図３は、本実施形態のヘッド部の主構成の変形例を例示するブロック図である。
【００１６】
本実施形態にかかる吐水装置は、吐止水を切り替える電磁弁などを内蔵した本体部１００と、本体部１００からの水を導水するホース部２００と、本体部１００からホース部２００を通して供給された水を吐水するヘッド部３００と、を備える。使用者がヘッド部３００に設けられた操作部３５０を操作すると、そのヘッド部３００は、使用者の操作に応じた無線信号を本体部１００に送信する。そして、本体部１００は、ヘッド部３００から送信された無線信号を受信し、その無線信号に基づいて吐止水や吐水流量などを制御する。なお、本願明細書において「水」という場合には、冷水のみならず、加熱されたお湯も含むものとする。
【００１７】
ヘッド部３００は、図２に表したように、電源供給部３１０と、送信制御部３２０と、通信部３３０と、第１の送信アンテナ３４０ａと、第２の送信アンテナ３４０ｂと、を有する。電源供給部３１０は、例えば電池やキャパシタなどであり、送信制御部３２０を介して通信部３３０や第１および第２の送信アンテナ３４０ａ、３４０ｂなどに電力を供給する。送信制御部３２０は、使用者による操作部３５０の操作に応じて通信部３３０などの動作を制御する。通信部３３０は、送信制御部３２０からの制御信号に基づいて動作し、第１の送信アンテナ３４０ａおよび第２の送信アンテナ３４０ｂを介して本体部１００へ無線信号を送信する。なお、この無線信号は、例えば電波などである。また、第１の送信アンテナ３４０ａおよび第２の送信アンテナ３４０ｂは、例えば「パッチアンテナ」などと呼ばれるアンテナである。
【００１８】
本体部１００は、図２に表したように、受信アンテナ１１０と、受信制御部１２０と、電源供給部１３０と、第１の電磁弁１４０ａと、第２の電磁弁１４０ｂと、第３の電磁弁１４０ｃと、を有する。なお、電磁弁の設置数は、３つに限定されず、２つ以下であってもよいし４つ以上であってもよい。但し、説明の便宜上、本実施形態では、３つの電磁弁が設置された場合を例に挙げて説明する。
【００１９】
受信アンテナ１１０は、ヘッド部３００から送信される無線信号を受信する。なお、この受信アンテナ１１０は、第１の送信アンテナ３４０ａおよび第２の送信アンテナ３４０ｂと同様に、例えば「パッチアンテナ」などと呼ばれるアンテナである。受信制御部１２０は、受信アンテナ１１０により受信した無線信号に基づいて第１〜第３の電磁弁１４０ａ、１４０ｂ、１４０ｃの動作を制御する。電源供給部１３０は、ヘッド部３００の電源供給部３１０と同様に、例えば電池やキャパシタなどであり、受信制御部１２０を介して第１〜第３の電磁弁１４０ａ、１４０ｂ、１４０ｃなどに電力を供給する。
【００２０】
ここで、浴室やキッチンやトイレ室などのように、壁面などにより囲まれた空間（閉空間）では、ヘッド部３００から本体部１００へ送信された無線信号は、壁面などで反射する。その結果、反射信号が発生する。そうすると、ヘッド部３００と本体部１００との位置関係によっては、無線信号と反射信号とが干渉して互いに打ち消し合ったり、あるいは弱め合ったりすることで、本体部１００は、ヘッド部３００からの無線信号を認識できないおそれがある。つまり、閉空間において、一つの無線信号のみを送信すると、反射された無線信号と送信された無線信号とが互いに干渉して打ち消し合ったり、あるいは弱め合ったりする箇所が生ずる（マルチパスフェージング）。
【００２１】
これに対して、本実施形態にかかる吐水装置では、ヘッド部３００は、第１の送信アンテナ３４０ａと、第２の送信アンテナ３４０ｂと、から同時に同じデータの無線信号を送信する。これによれば、第１の送信アンテナ３４０ａおよび第２の送信アンテナ３４０ｂのいずれか一方と、受信アンテナ１１０と、の位置関係に起因して、本体部１００がヘッド部３００からの無線信号を認識できない場合であっても、第１の送信アンテナ３４０ａおよび第２の送信アンテナ３４０ｂのいずれか他方からの無線信号を受信アンテナ１１０が受信することにより、本体部１００は、ヘッド部３００からの無線信号を認識できる。
【００２２】
なお、本実施形態にかかる吐水装置では、ヘッド部３００は、第１の送信アンテナ３４０ａと、第２の送信アンテナ３４０ｂと、のいずれか一方から交互に同じデータの無線信号を送信してもよい。この場合、ヘッド部３００は、図３に表したように、アンテナ切換部３６０をさらに有する。アンテナ切換部３６０は、送信制御部３２０の制御信号に基づいて、第１の送信アンテナ３４０ａおよび第２の送信アンテナ３４０ｂのいずれか一方と、通信部３３０と、を接続する。そのため、ヘッド部３００は、第１の送信アンテナ３４０ａおよび第２の送信アンテナ３４０ｂのいずれか一方から交互に同じデータの無線信号を送信できる。なお、ここでいう「交互」とは、無線信号を１回送信するごとに順次切り換える場合だけではなく、例えば５回などの複数回連続して無線信号を送信した後に順次切り換える場合も含むものとする。
【００２３】
以下、ヘッド部３００および本体部１００の具体例と、第１の送信アンテナ３４０ａおよび第２の送信アンテナ３４０ｂの設置形態の具体例と、について図面を参照しつつ説明する。
【００２４】
まず、ヘッド部３００および本体部１００の具体例について、図面を参照しつつ説明する。  
図４は、本実施形態のヘッド部の具体例を表す斜視模式図である。  
なお、図４（ａ）は、ヘッド部の吐水部とは反対側から眺めた斜視模式図であり、図４（ｂ）は、ヘッド部の吐水部側から眺めた斜視模式図である。
【００２５】
ヘッド部３００は、手で持つことができる把持部３０１と、把持部３０１の一端に設けられた吐水ヘッド部３０２と、把持部３０１の他端に設けられホース部２００と接続されるホース接続部３０３と、を有する。吐水ヘッド部３０２は、図４（ｂ）に表したように、吐水部３７０を有し、本体部１００からホース部２００を通して供給された水を吐水部３７０から吐水できる。
【００２６】
また、把持部３０１の吐水ヘッド部３０２側には、吐水部３７０からの吐止水や吐水流量を切り替える操作部３５０が設けられている。この操作部３５０は、流調スイッチ３５１と、切スイッチ３５２と、を有する。すなわち、使用者は、流調スイッチ３５１を操作することにより、吐水部３７０から吐水を開始させたり、吐水部３７０からの吐水流量を調整できる。また、使用者は、切スイッチ３５２を操作することにより、吐水部３７０からの水を止水させることができる。
【００２７】
図５は、本実施形態の本体部の具体例を表す斜視模式図である。  
なお、図５は、本体部１００の内部構造を例示している。  
本体部１００は、ケーシング１０１を有し、そのケーシング１０１の内部には、図２に関して前述したように、受信アンテナ１１０と、受信制御部１２０と、電源供給部１３０と、第１の電磁弁１４０ａと、第２の電磁弁１４０ｂと、第３の電磁弁１４０ｃと、が設けられている。
【００２８】
第１〜第３の電磁弁１４０ａ、１４０ｂ、１４０ｃが閉止された状態において、使用者が流調スイッチ３５１を押すと、第１の送信アンテナ３４０ａおよび第２の送信アンテナ３４０ｂから同じデータの無線信号が送信される。受信アンテナ１１０が第１の送信アンテナ３４０ａおよび第２の送信アンテナ３４０ｂの少なくともいずれかからの無線信号を受信すると、受信制御部１２０は、第１の電磁弁１４０ａを開放する。これにより、例えば約６リットル／分程度の吐水流量（弱流量）の水が、吐水部３７０から吐水される。
【００２９】
続いて、使用者が流調スイッチ３５１を再度押すと、第１の電磁弁１４０ａが開放された場合と同様にして、受信制御部１２０は、第２の電磁弁１４０ｂを開放する。これにより、第１および第２の電磁弁１４０ａ、１４０ｂが開放されたことになり、例えば約８リットル／分程度の吐水流量（中流量）の水が、吐水部３７０から吐水される。続いて、使用者が流調スイッチ３５１を再度押すと、第１および第２の電磁弁１４０ａ、１４０ｂが開放された場合と同様にして、受信制御部１２０は、第３の電磁弁１４０ｃを開放する。これにより、第１〜第３の電磁弁１４０ａ、１４０ｂ、１４０ｃが開放されたことになり、例えば約１０リットル／分程度の吐水流量（強流量）の水が、吐水部３７０から吐水される。
【００３０】
続いて、使用者が流調スイッチ３５１を再度押すと、受信制御部１２０は、第３の電磁弁１４０ｃを閉止する。これにより、第１および第２の電磁弁１４０ａ、１４０ｂが開放されていることになり、「中流量」の水が吐水部３７０から吐水される。以下、使用者が流調スイッチ３５１を押すごとに、「弱流量」と、「中流量」と、「強流量」と、が順次往復するように切り替えられる。
【００３１】
なお、ヘッド部３００は、「弱流量」と、「中流量」と、「強流量」と、のそれぞれに応じたデータの無線信号を送信してもよいし、流調スイッチ３５１が操作されたことに関するデータの無線信号を送信してもよい。ヘッド部３００が、流調スイッチ３５１が操作されたことに関するデータの無線信号を送信する場合には、本体部１００の受信制御部１２０は、使用者により操作された流調スイッチ３５１の回数に基づいて、第１〜第３の電磁弁１４０ａ、１４０ｂ、１４０ｃの動作を制御する。すなわち、「弱流量」と、「中流量」と、「強流量」と、に関する情報は、ヘッド部３００の送信制御部３２０において判断されてもよいし、本体部１００の受信制御部１２０において判断されてもよい。いずれの場合であっても、第１の送信アンテナ３４０ａおよび第２の送信アンテナ３４０ｂから同じデータの無線信号が送信される。
【００３２】
次に、第１の送信アンテナ３４０ａおよび第２の送信アンテナ３４０ｂの設置形態の具体例について、図面を参照しつつ説明する。  
図６は、第１および第２の送信アンテナの設置形態の具体例を例示する模式図である。  また、図７は、第１および第２の送信アンテナから送信される無線信号の放射方向を表す断面模式図である。  
なお、図６（ａ）は、本具体例のヘッド部を上側から眺めた平面模式図であり、図６（ｂ）は、図６（ａ）に表したＡ−Ａ断面図である。また、図７は、図６（ａ）に表したＡ−Ａ断面図に相当する。
【００３３】
本具体例では、第１および第２の送信アンテナ３４０ａ、３４０ｂは、吐水ヘッド部３０２の内部に設けられている。そして、第１の送信アンテナ３４０ａと、第２の送信アンテナ３４０ｂと、は所定間隔をもって設置されている。
【００３４】
この吐水装置によれば、第１の送信アンテナと第２の送信アンテナは、所定間隔をもって配置されることとしたため、第１の送信アンテナと第２の送信アンテナのうち、受信アンテナの受信状態が良い方の送信アンテナを使用することにより、無線信号と反射信号との位相が逆位相となり、互いに打ち消し合ったり、あるいは弱め合ったりすることを防止することができる。そのため、本体部は、ヘッド部からの無線信号をより確実に認識できる。
【００３５】
また、これによれば、ヘッド部３００の限られた空間を効率的に利用することができる。さらに、第１の送信アンテナ３４０ａは、吐水ヘッド部３０２内に設けられて、第２の送信アンテナ３４０ｂは、ホース接続部３０３の近傍に設けられているため、使用者の手により覆われるおそれは少ない。したがって、第１および第２の送信アンテナ３４０ａ、３４０ｂからそれぞれ放射された無線信号３４１ａ、３４１ｂは、使用者の手から影響を受けるおそれは少ない。
なお、第２の送信アンテナ３４０ｂは、ホース接続部３０３側の端部に設置されることがより好ましい。一方、第１の送信アンテナ３４０ａは、吐水ヘッド部３０２の内部であって、ヘッド部３００の先端部に設置されることがより好ましい。これによれば、第１の送信アンテナ３４０ａと、第２の送信アンテナ３４０ｂと、の間の距離をより大きくすることができる。
【００３６】
なお、ヘッド部３００の内部には、ホース部２００からの水を吐水部３７０に導水する流路３０４が形成されている。また、ヘッド部３００の吐水ヘッド部３０２の内部には、貯留部３０５が形成されている。この貯留部３０５には、流路３０４を導水された水が一時的に貯留される。このようにして貯留部３０５で一時的に貯留された水は、吐水部３７０から外部に吐水される。
【００３７】
ここで、第１の送信アンテナ３４０ａは、貯留部３０５からみて吐水部３７０とは反対側に設置されている。すなわち、第１の送信アンテナ３４０ａからの無線信号３４１ａが、貯留部３０５あるいは吐水部３７０とは反対側に放射されるように、第１の送信アンテナ３４０ａは設置されている。
【００３８】
これによれば、第１の送信アンテナ３４０ａから放射された無線信号３４１ａは、貯留部３０５に一時的に貯留された水や、吐水部３７０から吐水された水などから影響を受けるおそれは少ない。そのため、第１の送信アンテナ３４０ａから放射された無線信号３４１ａは、水により減衰されるおそれは少なく、受信アンテナ１１０は、より確実に無線信号３４１ａを受信できる。
【００３９】
また、電源供給部３１０は、第１の送信アンテナ３４０ａよりも吐水部３７０側に設置されている。すなわち、第１の送信アンテナ３４０ａからのそれぞれの無線信号３４１ａが、電源供給部３１０とは反対側に放射されるように、第１の送信アンテナ３４０ａは設置されている。そのため、第１の送信アンテナ３４０ａから放射された無線信号３４１ａは、電源供給部３１０から影響を受けるおそれは少ない。
なお、図中において、送信アンテナと電源供給部との配線の接続については、省略している。
【００４０】
また、第１の送信アンテナ３４０ａと、第２の送信アンテナ３４０ｂと、の間隔の理想状態としては、送信アンテナと受信アンテナとの間に障害物がなく、無線信号Ｓ１として周波数が３００ＭＨｚ、波長が１ｍの電波信号を用い、この無線信号Ｓ１が送信アンテナから受信アンテナへ直線的に到達すると仮定した場合に、以下のように配置することである。
【００４１】
すなわち、第１の送信アンテナと第２の送信アンテナとは、第１の送信アンテナから受信アンテナまでの距離と、第２の送信アンテナから受信アンテナまでの距離との差が、無線信号Ｓ１の１／４波長である２５ｃｍ程度となるように間隔を空けて配置することが望ましい。なお、実際には、第１の送信アンテナと第２の送信アンテナとの間隔を、２５ｃｍ程度にしなくても、１／８波長である１２．５ｃｍ程度以上で、１／４波長である２５ｃｍ程度以下にすることで、マルチパスフェージング現象を解消できる効果を大きくすることができる。
【００４２】
このように、第１の送信アンテナと第２の送信アンテナとを所定間隔をもって配置すると、たとえ、第１の送信アンテナから受信アンテナへ送信される無線信号Ｓ１（進行波）と、この進行波の反射波とが重畳して定在波が発生しても、第１の送信アンテナと受信アンテナとの間に生じる定在波と、第２の送信アンテナと受信アンテナとの間に生じる定在波とのうち、少なくとも一方の定在波は、受信アンテナの位置で節（定在波の振幅がない位置）となることがない。
【００４３】
すなわち、第１の送信アンテナと第２の送信アンテナのうちのいずれかの一方のアンテナと受信アンテナとの位置関係に起因して、無線信号Ｓ１を正常に受信できない場合であっても、アンテナ切換部で無線通信に用いるアンテナを他方のアンテナに切替えることにより、無線信号Ｓ１を送信するアンテナと受信アンテナとの位置関係を変更することができるので、アンテナ切換部が無線信号Ｓ１を受信できるようになり、良好な無線通信を行うことができる。
【００４４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、本体部１００やヘッド部３００などが備える各要素の形状、寸法、材質、配置などや第１および第２の送信アンテナ３４０ａ、３４０ｂおよび受信アンテナ１１０の設置形態などは、例示したものに限定されるわけではなく適宜変更することができる。すなわち、本実施形態では、２つの送信アンテナが設置された場合を例に挙げて説明したが、これだけに限定されず、３つ以上の送信アンテナが設置されていてもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４５】
１００  本体部、  １０１  ケーシング、  １１０  受信アンテナ、  １２０  受信制御部、  １３０  電源供給部、  １４０ａ、１４０ｂ、１４０ｃ  電磁弁、  ２００  ホース部、  ３００  ヘッド部、  ３０１  把持部、  ３０２  吐水ヘッド部、  ３０３  ホース接続部、  ３０４  流路、  ３０５  貯留部、  ３１０  電源供給部、  ３２０  送信制御部、  ３３０  通信部、  ３４０ａ、３４０ｂ  送信アンテナ、  ３４１ａ、３４１ｂ  無線信号、  ３５０  操作部、  ３５１  流調スイッチ、  ３５２  切スイッチ、  ３６０  アンテナ切換部、  ３７０  吐水部
【図１】
2010216073.tif 000003
【図２】
2010216073.tif 000004
【図３】
2010216073.tif 000005
【図４】
2010216073.tif 000006
【図５】
2010216073.tif 000007
【図６】
2010216073.tif 000008
【図７】
2010216073.tif 000009